(57)【要約】【課題】  節電機能を具えた自己発光回路と方法の提供。【解決手段】  節電機能を具えた自己発光回路は、電気的に電源供給端と駆動回路に接続されたインピーダンスデバイスを具え、それは画素ユニットが消耗する総電流量に基づき、全体の電力消耗量を自動調整する。これにより、実質的に消耗パワーの波動を減少でき、且つ電源の消耗を節約し、表示品質に影響を与えない。【選択図】        図２
2006163333.tif 000002
【特許請求の範囲】
【請求項１】
電源供給端を具えた自己発光回路において、複数の駆動デバイス、複数の自己発光デバイス、及びインピーダンスデバイスを具え、
該複数の駆動デバイスは、各駆動デバイスが第１端点、第２端点及び第３端点を具え、  該複数の自己発光デバイスは、各自己発光デバイスが電気的に該第３端点に接続され、  該インピーダンスデバイスは、該第２端点及び該電源供給端に電気的に接続されて該第１端点と該第２端点の電位差を調節すると共に、該自己発光デバイスの輝度を調節することを特徴とする、自己発光回路。
【請求項２】
請求項１記載の自己発光回路において、自己発光デバイスが有機発光ダイオードを包含することを特徴とする、自己発光回路。
【請求項３】
請求項１記載の自己発光回路において、各自己発光デバイスが第３端点に電気的に接続されたアノードを具えたことを特徴とする、自己発光回路。
【請求項４】
請求項１記載の自己発光回路において、各駆動デバイスがＰ型薄膜トランジスタ或いはＮ型薄膜トランジスタとされたことを特徴とする、自己発光回路。
【請求項５】
請求項１又は請求項３記載の自己発光回路において、各駆動デバイスの第１端点、第２端点、及び第３端点がゲート、ソース、及びドレインとされたことを特徴とする、自己発光回路。
【請求項６】
請求項１記載の自己発光回路において、各駆動デバイスが自己発光デバイスに直列に接続されたことを特徴とする、自己発光回路。
【請求項７】
請求項１記載の自己発光回路において、インピーダンスデバイスの電流がこれらの自己発光デバイスの消耗する総電流量に等しいことを特徴とする、自己発光回路。
【請求項８】
請求項６記載の自己発光回路において、インピーダンスデバイスの電流が増加する時、自己発光デバイスの供給電位が下がり、これにより自己発光デバイスの電流が低減し、節電機能を達成することを特徴とする、自己発光回路。
【請求項９】
請求項１記載の自己発光回路において、インピーダンスデバイスが抵抗素子を包含することを特徴とする、自己発光回路。
【請求項１０】
請求項８記載の自己発光回路において、抵抗素子の抵抗値が１〜２５Ωとされたことを特徴とする、自己発光回路。
【請求項１１】
請求項１記載の自己発光回路において、インピーダンスデバイスがトランジスタを包含することを特徴とする、自己発光回路。
【請求項１２】
電源供給端を具えると共に、第１電位を提供する自己発光回路において、少なくとも一つの駆動デバイス、一つのインピーダンスデバイス、少なくとも一つの自己発光デバイスを具え、
該少なくとも一つの駆動デバイスは、第１端点、第２端点及び第３端点を具え、
該インピーダンスデバイスは、該第２端点及び該電源供給端に電気的に接続されると共に第２端点において第２電位を形成し、
該少なくとも一つの自己発光デバイスは、電気的に該第３端点に接続され、且つ自己発光デバイスの輝度が第２端と第１端点の電位差により決定され、
該インピーダンスデバイスの総電流が第３端点の電位と反比例を成すことを特徴とする、自己発光回路。
【請求項１３】
請求項１２記載の自己発光回路において、第２電位が第１電位からインピーダンスデバイスを流れる電流が形成するインピーダンスデバイスの電位を控除したものとされることを特徴とする、自己発光回路。
【請求項１４】
請求項１２記載の自己発光回路において、自己発光デバイスが有機発光ダイオードを包含することを特徴とする、自己発光回路。
【請求項１５】
請求項１２記載の自己発光回路において、自己発光デバイスが第３端点に電気的に接続されたアノードを具えたことを特徴とする、自己発光回路。
【請求項１６】
請求項１２記載の自己発光回路において、駆動デバイスがＰ型薄膜トランジスタ或いはＮ型薄膜トランジスタとされたことを特徴とする、自己発光回路。
【請求項１７】
請求項１２記載の自己発光回路において、駆動デバイスの第１端点、第２端点、及び第３端点がゲート、ソース、及びドレインとされたことを特徴とする、自己発光回路。
【請求項１８】
請求項１２記載の自己発光回路において、駆動デバイスが自己発光デバイスに直列に接続されたことを特徴とする、自己発光回路。
【請求項１９】
請求項１２記載の自己発光回路において、インピーダンスデバイスの電流が全ての自己発光デバイスの消耗する総電流量に等しいことを特徴とする、自己発光回路。
【請求項２０】
請求項１２記載の自己発光回路において、インピーダンスデバイスが抵抗素子を包含することを特徴とする、自己発光回路。
【請求項２１】
請求項１２記載の自己発光回路において、抵抗素子の抵抗値が１〜２５Ωとされたことを特徴とする、自己発光回路。
【請求項２２】
請求項１２記載の自己発光回路において、インピーダンスデバイスがトランジスタを包含することを特徴とする、自己発光回路。
【請求項２３】
自己発光ディスプレイの電源消耗調節方法において、
電源を提供するステップ、
複数の駆動デバイスと該電源を電気的に接続し、そのうち各駆動デバイスが第１端点、第２端点、第３端点を具備するものとするステップ、
該第１端点と該第２端点の電位に基づき、複数の自己発光デバイスを駆動し、そのうち各自己発光デバイスは該第３端点に電気的に接続するものとするステップ、
該複数の自己発光デバイスの発光に基づき、総電流を提供するステップ、
該総電流に基づき、インピーダンスデバイスの両端電位を調整し、そのうち、インピーダンスデバイスは該第２端点及び該電源に電気的に接続するものとするステップ、
以上のステップを具えたことを特徴とする、自己発光ディスプレイの電源消耗調節方法。
【請求項２４】
請求項２３記載の自己発光ディスプレイの電源消耗調節方法において、総電流を提供するステップで複数の自己発光デバイスの輝度と総電流量の大きさが正比例を成すことを特徴とする、自己発光ディスプレイの電源消耗調節方法。
【請求項２５】
請求項２３記載の自己発光ディスプレイの電源消耗調節方法において、インピーダンスデバイスの両端電位を調整するステップで総電流の大きさがインピーダンスデバイスの両端電位と正比例を成すことを特徴とする、自己発光ディスプレイの電源消耗調節方法。
【発明の詳細な説明】
【技術分野】
【０００１】
本発明は一種の節電機能を具えた自己発光回路と方法に係り、特に、節電機能を具えた有機発光ダイオード回路に関する。
【背景技術】
【０００２】
自己発光性（ｅｍｉｓｓｉｖｅ）ディスプレイは軽薄で、色彩飽和度が高く、主動発光し、画像表示速度が速く、節電等の長所を有するため、次世代の液晶ディスプレイに代わるフラットディスプレイ技術の一つと見なされている。有機エレクトロルミネッセンスディスプレイ（Ｏｒｇａｎｉｃ  Ｅｌｅｃｔｒｏ−ｌｕｍｉｎｅｓｃｅｎｃｅ  Ｄｉｓｐｌａｙ；ＯＥＬＤ）は自己発光性ディスプレイの主要な技術の一つであり、有機発光ダイオード（Ｏｒｇａｎｉｃ  Ｌｉｇｈｔ  Ｅｍｉｔｔｉｎｇ  Ｄｉｏｄｅ；ＯＬＥＤ）ディスプレイパネルとも称され、このような技術は液晶ディスプレイ（ＬＣＤ）とダイオード（ＬＥＤ）の両者の長所を兼ね備えている。
【０００３】
図１は周知の有機発光ダイオードディスプレイの画素ユニットの回路表示図である。各画素ユニット１００中にあって、Ｐ型薄膜トランジスタ１０１のゲートＧがデータ入力信号Ｖｄａｔａを入力した後、その形成するゲート−ソース電位（Ｖｇｓ）が電流Ｉｄの大きさを制御し、これにより有機発光ダイオード１０２の発光が駆動される。
【０００４】
自己発光性ディスプレイの電力消耗量はその発光輝度及び発光面積と正比例の関係を成し、ゆえにディスプレイが表示するフレーム中の明るいエリアが多くなるほど、消耗電流も多くなる。フレーム中がいずれも暗い領域である時、消耗電流は略零となり、これが自己発光性ディスプレイの電力消耗量がこのような大きな波動を有する原因である。例えば、２インチの有機発光ディスプレイでは、全暗フレームから全明フレームのパワー波動は０ｍＷから１２００ｍＷである。また、ディスプレイシステムは設計時に、最大の可能な電源消耗情況を考慮しなければならないが、伝統的な有機発光ダイオードディスプレイはこのように大きなパワー波動を有するため、システム設計上の困難が形成されるのみならず、デバイスの使用寿命が短縮されうる。このため消耗パワーの波動を減らせ、且つこれにより全体の消耗電力を減らせる自己発光性ディスプレイの開発が待たれている。
【０００５】
周知の液晶ディスプレイのコントラスト自動調整の技術には、例えば特許文献１がある。
【０００６】
【特許文献１】米国特許第５，１５３，７５６号明細書
【発明の開示】
【発明が解決しようとする課題】
【０００７】
上述の従来の技術のディスプレイの多くの欠点を鑑み、本発明は一種の自己発光回路と方法を提供することを目的とし、それは発光面積と輝度に併せてディスプレイパネルの輝度を自動調整できる回路及び方法であるものとする。
【０００８】
本発明はまた、一種の自己発光回路と方法を提供することを目的とし、それは、電源の消耗を節約でき、且つディスプレイの表示品質に影響を与えない回路及び方法であるものとする。
【０００９】
本発明は更に、一種の自己発光回路と方法を提供することを目的とし、それは、実質的に消耗パワーの波動を減らせ、これにより全体のディスプレイシステムの設計に有利である回路と方法であるものとする。
【課題を解決するための手段】
【００１０】
請求項１の発明は、電源供給端を具えた自己発光回路において、複数の駆動デバイス、複数の自己発光デバイス、及びインピーダンスデバイスを具え、
該複数の駆動デバイスは、各駆動デバイスが第１端点、第２端点及び第３端点を具え、  該複数の自己発光デバイスは、各自己発光デバイスが電気的に該第３端点に接続され、  該インピーダンスデバイスは、該第２端点及び該電源供給端に電気的に接続されて該第１端点と該第２端点の電位差を調節すると共に、該自己発光デバイスの輝度を調節することを特徴とする、自己発光回路としている。
請求項２の発明は、請求項１記載の自己発光回路において、自己発光デバイスが有機発光ダイオードを包含することを特徴とする、自己発光回路としている。
請求項３の発明は、請求項１記載の自己発光回路において、各自己発光デバイスが第３端点に電気的に接続されたアノードを具えたことを特徴とする、自己発光回路としている。
請求項４の発明は、請求項１記載の自己発光回路において、各駆動デバイスがＰ型薄膜トランジスタ或いはＮ型薄膜トランジスタとされたことを特徴とする、自己発光回路としている。
請求項５の発明は、請求項１又は請求項３記載の自己発光回路において、各駆動デバイスの第１端点、第２端点、及び第３端点がゲート、ソース、及びドレインとされたことを特徴とする、自己発光回路としている。
請求項６の発明は、請求項１記載の自己発光回路において、各駆動デバイスが自己発光デバイスに直列に接続されたことを特徴とする、自己発光回路としている。
請求項７の発明は、請求項１記載の自己発光回路において、インピーダンスデバイスの電流がこれらの自己発光デバイスの消耗する総電流量に等しいことを特徴とする、自己発光回路としている。
請求項８の発明は、請求項６記載の自己発光回路において、インピーダンスデバイスの電流が増加する時、自己発光デバイスの供給電位が下がり、これにより自己発光デバイスの電流が低減し、節電機能を達成することを特徴とする、自己発光回路としている。
請求項９の発明は、請求項１記載の自己発光回路において、インピーダンスデバイスが抵抗素子を包含することを特徴とする、自己発光回路としている。
請求項１０の発明は、請求項８記載の自己発光回路において、抵抗素子の抵抗値が１〜２５Ωとされたことを特徴とする、自己発光回路としている。
請求項１１の発明は、請求項１記載の自己発光回路において、インピーダンスデバイスがトランジスタを包含することを特徴とする、自己発光回路としている。
請求項１２の発明は、電源供給端を具えると共に、第１電位を提供する自己発光回路において、少なくとも一つの駆動デバイス、一つのインピーダンスデバイス、少なくとも一つの自己発光デバイスを具え、
該少なくとも一つの駆動デバイスは、第１端点、第２端点及び第３端点を具え、
該インピーダンスデバイスは、該第２端点及び該電源供給端に電気的に接続されると共に第２端点において第２電位を形成し、
該少なくとも一つの自己発光デバイスは、電気的に該第３端点に接続され、且つ自己発光デバイスの輝度が第２端と第１端点の電位差により決定され、
該インピーダンスデバイスの総電流が第３端点の電位と反比例を成すことを特徴とする、自己発光回路としている。
請求項１３の発明は、請求項１２記載の自己発光回路において、第２電位が第１電位からインピーダンスデバイスを流れる電流が形成するインピーダンスデバイスの電位を控除したものとされることを特徴とする、自己発光回路としている。
請求項１４の発明は、請求項１２記載の自己発光回路において、自己発光デバイスが有機発光ダイオードを包含することを特徴とする、自己発光回路としている。
請求項１５の発明は、請求項１２記載の自己発光回路において、自己発光デバイスが第３端点に電気的に接続されたアノードを具えたことを特徴とする、自己発光回路としている。
請求項１６の発明は、請求項１２記載の自己発光回路において、駆動デバイスがＰ型薄膜トランジスタ或いはＮ型薄膜トランジスタとされたことを特徴とする、自己発光回路としている。
請求項１７の発明は、請求項１２記載の自己発光回路において、駆動デバイスの第１端点、第２端点、及び第３端点がゲート、ソース、及びドレインとされたことを特徴とする、自己発光回路としている。
請求項１８の発明は、請求項１２記載の自己発光回路において、駆動デバイスが自己発光デバイスに直列に接続されたことを特徴とする、自己発光回路としている。
請求項１９の発明は、請求項１２記載の自己発光回路において、インピーダンスデバイスの電流が全ての自己発光デバイスの消耗する総電流量に等しいことを特徴とする、自己発光回路としている。
請求項２０の発明は、請求項１２記載の自己発光回路において、インピーダンスデバイスが抵抗素子を包含することを特徴とする、自己発光回路としている。
請求項２１の発明は、請求項１２記載の自己発光回路において、抵抗素子の抵抗値が１〜２５Ωとされたことを特徴とする、自己発光回路としている。
請求項２２の発明は、請求項１２記載の自己発光回路において、インピーダンスデバイスがトランジスタを包含することを特徴とする、自己発光回路としている。
請求項２３の発明は、自己発光ディスプレイの電源消耗調節方法において、
電源を提供するステップ、
複数の駆動デバイスと該電源を電気的に接続し、そのうち各駆動デバイスが第１端点、第２端点、第３端点を具備するものとするステップ、
該第１端点と該第２端点の電位に基づき、複数の自己発光デバイスを駆動し、そのうち各自己発光デバイスは該第３端点に電気的に接続するものとするステップ、
該複数の自己発光デバイスの発光に基づき、総電流を提供するステップ、
該総電流に基づき、インピーダンスデバイスの両端電位を調整し、そのうち、インピーダンスデバイスは該第２端点及び該電源に電気的に接続するものとするステップ、
以上のステップを具えたことを特徴とする、自己発光ディスプレイの電源消耗調節方法としている。
請求項２４の発明は、請求項２３記載の自己発光ディスプレイの電源消耗調節方法において、総電流を提供するステップで複数の自己発光デバイスの輝度と総電流量の大きさが正比例を成すことを特徴とする、自己発光ディスプレイの電源消耗調節方法としている。
請求項２５の発明は、請求項２３記載の自己発光ディスプレイの電源消耗調節方法において、インピーダンスデバイスの両端電位を調整するステップで総電流の大きさがインピーダンスデバイスの両端電位と正比例を成すことを特徴とする、自己発光ディスプレイの電源消耗調節方法としている。
【発明の効果】
【００１１】
本発明は一種の節電機能を具えた自己発光回路と方法を提供し、それはインピーダンスデバイスを具え、該インピーダンスデバイスは電気的に電源供給端と駆動回路に接続され、画素ユニットの消耗する総電流量に基づき、画素ユニットの供給電位を調節する。本発明はある実施例において、このインピーダンスデバイスは抵抗素子とされ、画素ユニットの消耗する総電流量が増大する時、この抵抗素子の発生する電位降下が画素ユニットの供給電位を下げ、これにより画素ユニットを流れる電流が減る。人の目にはこの有限な電位降下により減少する発光輝度は明らかには察知されず、これによりディスプレイの表示品質に影響が生じない。本発明により、実質的に消耗パワーの波動が減らされ、且つ電源の消耗が節約される。
【発明を実施するための最良の形態】
【００１２】
図２は本発明の節電機能を具えた自己発光回路の実施例を示す。説明に便利なように、ここでは僅かに三つの画素ユニット２０１、２０２及び２０３を表示して説明するが、多数の画素ユニットが組み合わされて一つの完全なディスプレイフレームが形成される。本発明は複数の画素ユニット２０１、２０２及び２０３、及びインピーダンスデバイス２０４を具えている。各画素ユニット２０１、２０２及び２０３は駆動回路に直列に接続された各自の自己発光性デバイスを具えている。本実施例では、自己発光性デバイスには有機発光ダイオードが使用され、駆動回路は三端子デバイス、例えばゲート、ソース及びドレインを具えたＰ型薄膜トランジスタとされるほか、低温ポリシリコン（ＬＴＰＳ）、アモルファスシリコン（ａ−Ｓｉ）、或いは有機薄膜トランジスタとされうる。画素ユニット中にあって、有機発光ダイオードのカソードは電源Ｖｓｓに接続され、アノードはＰ型薄膜トランジスタのドレインＤに接続され、Ｐ型薄膜トランジスタのゲートＧはデータ入力信号Ｖｄａｔａを受け取り、ソースＳはインピーダンスデバイス２０４に接続されている。インピーダンスデバイス２０４は供給電源Ｖｄｄと画素ユニット２０１、２０２及び２０３の間に直列に接続されている。このインピーダンスデバイス２０４は単一のインピーダンスデバイス、或いはトランジスタで組成されたインピーダンスデバイスとされうる。
【００１３】
以下に回路動作について説明する。本実施例では、各画素ユニット２０１、２０２及び２０３中のＰ型薄膜トランジスタを駆動するソースＳ電位はそれぞれＶ１ｐ、Ｖ２ｐ、Ｖｎｐとされる。各画素ユニット２０１、２０２及び２０３を流れる電流は、それぞれＩ１ｐ、Ｉ２ｐ、Ｉｎｐとされる。回路構造から分かるように、Ｉｘは総電流とされ、それはＩ１ｐ、Ｉ２ｐ、Ｉｎｐの総和に相当する。このほかトランジスタを駆動するゲート−ソース間電位｜Ｖｇｓ｜の大きさが画素ユニットの電流量Ｉ１ｐ、Ｉ２ｐ、Ｉｎｐを決定する。フレームに表示される明るい領域の面積が多くなる時、総電流Ｉｘも大きくなる。その形成するインピーダンスデバイス２０４両端の電位降下もそれに伴い増加する。これにより、各画素ユニット２０１、２０２及び２０３のＰ型薄膜トランジスタを駆動するソースＳ電位Ｖ１ｐ、Ｖ２ｐ、Ｖｎｐが下降する。この下降したソース電位がゲート−ソース間電位｜Ｖｇｓ｜を下降させ、画素ユニット中の電流Ｉ１ｐ、Ｉ２ｐ、Ｉｎｐもこれに伴い減少する。こうして負のフィードバック制御回路が形成される。言い換えると、総電流とインピーダンスデバイス自身の電位は正比例を成し、且つ自己発光デバイスの輝度と正比例を成し、インピーダンスデバイスを流れる総電流とトランジスタのドレイン電位は反比例を成す。本発明のインピーダンスデバイスにより、実質的に消耗パワーの波動を減らすことができる。且つ大面積に白色明領域が表示される時、ディスプレイは輝度の出力を自動減少し、電源の消耗を節約する。人の眼はこの有限な電位降下により減少する発光輝度に対して明らかに察知することはできず、このためディスプレイの表示品質に影響は生じない。
【００１４】
図３に示される回路は本発明の節電機能を具えた自己発光回路の別の実施例である。同様に、説明に便利なように、ここには僅かに三つの画素ユニット３０１、３０２及び３０３のみ表示している。しかし、多くの画素ユニットが組み合わされて一つの完全ディスプレイフレームを形成する。本発明は複数の画素ユニット３０１、３０２及び３０３、及びインピーダンスデバイス３０４を具えている。各画素ユニット３０１、３０２及び３０３はそれぞれ自己発光デバイスと駆動回路を具えている。本実施例中、自己発光デバイス駆動回路に直列に接続された有機発光ダイオードとされる。駆動回路はＮ型薄膜トランジスタとされる。図２の実施例と異なるところは、有機発光ダイオードのアノードは電源Ｖｄｄに接続され、カソードはＮ型薄膜トランジスタのドレインＤに接続され、Ｎ型薄膜トランジスタのゲートＧはデータ入力信号Ｖｄａｔａを受け取り、ソースはインピーダンスデバイス２０４に接続される。先の実施例と同様に、インピーダンスデバイス３０４は単一インピーダンスデバイスとされうるほか、トランジスタで組成された抵抗素子とされうる。且つインピーダンスデバイス３０４は供給電源Ｖｄｄと画素ユニットの間に直列に接続される。
【００１５】
この実施例の回路動作原理は先の実施例と類似する。本実施例中、各画素ユニット３０１、３０２及び３０３中のＮ型薄膜トランジスタのソースＳ電位はそれぞれＶ１ｎ、Ｖ２ｎ、Ｖｎｎとされる。各画素ユニット３０１、３０２及び３０３を流れる電流は、それぞれＩ１ｎ、Ｉ２ｎ、Ｉｎｎとされる。回路構造から分かるように、Ｉｙは総電流とされ、それはＩ１ｎ、Ｉ２ｎ、Ｉｎｎの総和に相当する。このほかトランジスタを駆動するゲート−ソース間電位｜Ｖｇｓ｜の大きさが画素ユニットの電流量Ｉ１ｎ、Ｉ２ｎ、Ｉｎｎを決定する。フレームに表示される明るい領域の面積が多くなる時、総電流Ｉｙも大きくなる。その形成するインピーダンスデバイス３０４両端の電位降下もそれに伴い増加する。これにより、各画素ユニット３０１、３０２及び３０３のＮ型薄膜トランジスタを駆動するソースＳ電位Ｖ１ｎ、Ｖ２ｎ、Ｖｎｎが下降する。この下降したソース電位がゲート−ソース間電位｜Ｖｇｓ｜を下降させ、画素ユニット中の電流Ｉ１ｎ、Ｉ２ｎ、Ｉｎｎもこれに伴い減少する。こうして負のフィードバック制御回路が形成される。本発明のインピーダンスデバイスにより、実質的に消耗パワーの波動を減らすことができる。且つ大面積に白色明領域が表示される時、ディスプレイは輝度の出力を自動減少し、電源の消耗を節約する。人の眼はこの有限な電位降下により減少する発光輝度に対して明らかに察知することはできず、このためディスプレイの表示品質に影響は生じない。
【００１６】
上述の実施例中、インピーダンスデバイスは画素ユニットのソース及び電源回路の安定化電圧出力点の間に位置する。インピーダンスデバイスは画素ユニットと同時にガラス基板上に製作可能であるほか、単独でガラス基板の外部モジュールに製作可能である。インピーダンスデバイスは顧客の必要に応じて製作され、その最良のインピーダンス範囲は約１〜２５Ωの間とされる。また、トランジスタのゲート−ソース間電位｜Ｖｇｓ｜特性に基づく有機発光ダイオードの輝度の制御は、ドレイン−ソース間電位｜Ｖｄｓ｜を利用したものより理想的であり、これはトランジスタを飽和領域にあって操作する時、トランジスタの電流Ｉｄはゲート−ソース間電位｜Ｖｇｓ｜による制御を受けるためである。
【００１７】
明確に本発明の実施効果を説明するため、以下に第１実施例（図２）により、（一）インピーダンスデバイスを不使用の伝統的ェイスプレイ、及び（二）インピーダンスデバイスを使用した本発明のディスプレイを説明する。
【００１８】
（一）インピーダンスデバイス不使用の時：
フレームが全暗の時：Ｖｄｄは３Ｖに設定され、Ｖｇ＝Ｖｄａｔａ＝３Ｖであり、総電流Ｉｘ＝０ｍＡであるが、Ｒ＝０であるため、（Ｉｘ）Ｒ＝０Ｖで、これによりＶｓ＝Ｖｄｄ−（Ｉｘ）Ｒ＝３Ｖ−０Ｖ＝３Ｖ、Ｖｇｓ＝０Ｖで、最終総電流は０ｍＡとなる。
フレームが全明の時：Ｖｄｄは３Ｖに設定され、Ｖｇ＝Ｖｄａｔａ＝０Ｖであり、総電流Ｉｘ＝１００ｍＡであるが、Ｒ＝０であるため、（Ｉｘ）Ｒ＝０Ｖで、これによりＶｓ＝Ｖｄｄ−ＩＲ＝３Ｖ−０Ｖ＝３Ｖ、｜Ｖｇｓ｜＝３Ｖで、最終総電流は１００ｍＡとなる。
【００１９】
（二）インピーダンスデバイス使用の時：
フレームが全暗の時：Ｖｄｄは３Ｖに設定され、Ｖｇ＝Ｖｄａｔａ＝３Ｖであり、総電流Ｉｘ＝０ｍＡであるが、Ｒ＝０であるため、（Ｉｘ）Ｒ＝０Ｖで、これによりＶｓ＝Ｖｄｄ−ＩＲ＝３Ｖ−０Ｖ＝３Ｖ、Ｖｇｓ＝０Ｖで、最終総電流は０ｍＡとなる。
フレームが全明の時：Ｖｄｄは３Ｖに設定され、Ｖｇ＝Ｖｄａｔａ＝０Ｖであり、総電流Ｉｘ＝１００ｍＡであるが、Ｒ＝５であるため、（Ｉｘ）Ｒ＝０．５Ｖで、これによりＶｓ＝Ｖｄｄ−（Ｉｘ）Ｒ＝３Ｖ−０．５Ｖ＝２．５Ｖ、Ｖｇｓ＝−２．５Ｖで、最終総電流は８０ｍＡとなる。
【００２０】
以上のデータに基づき、インピーダンスデバイス不使用の時、全明フレームの最終総電流は１００ｍＡとされ、その輝度は約１５０ｎｉｔｓとされる。インピーダンスデバイス使用の時、全明フレームの最終総電流は８０ｍＡとされ、その輝度は約１２０ｎｉｔｓとされる。即ち、全明フレームの総電流は２０ｍＡ節約される。人の眼は大面積のフレームに対してその輝度が１５０ｎｉｔｓであるか１２０ｎｉｔｓであるかを識別できないため、ディスプレイの表示品質は影響を受けることがない。本発明により、実質的に消耗パワーの波動を減らすことができ、且つ電源の消耗を節約できる。
【００２１】
以上は本発明の好ましい実施例の説明であって、本発明の範囲を限定するものではなく、本発明に基づきなしうる細部の修飾或いは改変は、いずれも本発明の請求範囲に属するものとする。
【図面の簡単な説明】
【００２２】
【図１】伝統的な有機発光ダイオードディスプレイの画素ユニットの回路表示図である。
【図２】本発明の実施例の自己発光回路表示図である。
【図３】本発明の別の実施例の自己発光回路表示図である。
【符号の説明】
【００２３】
１００  画素ユニット
１０１  Ｐ型薄膜トランジスタ
１０２  有機発光ダイオード
２０１  画素ユニット
２０２  画素ユニット
２０３  画素ユニット
２０４  インピーダンスデバイス
３０１  画素ユニット
３０２  画素ユニット
３０３  画素ユニット
３０４  インピーダンスデバイス
【図１】
2006163333.tif 000003
【図２】
2006163333.tif 000004
【図３】
2006163333.tif 000005